(57)【要約】【課題】電源側バスバーおよびアース側バスバーへのコンデンサのリード部の接続作業を簡便且つ容易に行うことができると共に、それらの接続安定性を有利に維持することができる、新規な構造のコンデンサ内蔵ジョイントコネクタを提供すること。【解決手段】コネクタハウジング２２が、電源側／アース側バスバー１４，１８を保持するバスバー保持部５２と、コンデンサ保持部５４と、その間の接続領域５０とを含んで構成され、接続領域５０には、電源側／アース側バスバー１４，１８のリード接続部３４，４０と、コンデンサ２０のリード部４６が、相互に重ね合わされて電気的に接続されている一方、コンデンサ保持部５４の底面保持板部６４の上端面に、リード部４６を保持するリード収容溝７４が開口形成されていると共に、各リード収容溝７４が底面保持板部６４の上端面に向かって次第に広がるテーパ状側面を有するようにした。【選択図】図１
2014102937.tif 000002
【特許請求の範囲】
【請求項１】
複数の端子部を有する電源側バスバーと、複数の端子部を有するアース側バスバーと、前記電源側バスバーと前記アース側バスバーの間を接続するコンデンサが、コネクタハウジングに収容保持されてなるコンデンサ内蔵ジョイントコネクタにおいて、
前記コネクタハウジングが、該コネクタハウジングの一端側に設けられて前記電源側バスバーと前記アース側バスバーを保持するバスバー保持部と、前記コネクタハウジングの他端側に設けられて前記バスバー保持部から離隔した位置に前記コンデンサを保持するコンデンサ保持部と、前記バスバー保持部と前記コンデンサ保持部との間に設けられた接続領域とを含んで構成されている一方、
前記コンデンサが、コンデンサ本体と、該コンデンサ本体の底面から同じ向きに突出する一対のリード部を備えていると共に、
前記電源側バスバーと前記アース側バスバーが、前記コンデンサの前記一対のリード部が接続されるリード接続部をそれぞれ備えており、
前記コネクタハウジングの前記接続領域には、前記バスバー保持部から前記コンデンサ保持部に向かって突出する前記電源側バスバーおよび前記アース側バスバーの前記リード接続部と、前記コンデンサ保持部から前記バスバー保持部に向かって突出する前記コンデンサの前記一対のリード部が、相互に重ね合わされて電気的に接続されている一方、
前記コンデンサ保持部が、前記コネクタハウジングの他端側から円弧断面形状で突出して前記コンデンサ本体の外周面を保持する樋状部と、該樋状部の基端部に設けられて前記コンデンサ本体の前記底面と対向する底面保持板部と、前記樋状部の開口部を覆蓋する蓋部材を含んで構成されていると共に、
前記底面保持板部の上端面に、前記一対のリード部を保持する一対のリード収容溝が開口形成されていると共に、各該リード収容溝が前記底面保持板部の前記上端面に向かって次第に広がるテーパ状側面を有している、
ことを特徴とするコンデンサ内蔵ジョイントコネクタ。
【請求項２】
前記底面保持板部に設けられた前記一対のリード収容溝が、Ｗ字状断面で板厚方向に形成されている請求項１に記載のコンデンサ内蔵ジョイントコネクタ。
【請求項３】
前記樋状部の先端部に、前記コンデンサ本体の天面と対向する天面保持板部が設けられている請求項１又は２に記載のコンデンサ内蔵ジョイントコネクタ。
【請求項４】
前記樋状部が略半円弧形断面形状で形成されていると共に、前記天面保持板部と前記樋状部の少なくとも前記先端部側において、それぞれの上端面から上方に立ち上がる案内壁が一体的に形成されている請求項３に記載のコンデンサ内蔵ジョイントコネクタ。
【請求項５】
前記蓋部材の基端部に、前記底面保持板部に向かって突出して、該底面保持板部との対向面間で前記一対のリード部を保持する垂壁部が一体形成されている請求項１〜４の何れか１項に記載のコンデンサ内蔵ジョイントコネクタ。
【発明の詳細な説明】
【技術分野】
【０００１】
本発明は、複数の端子部を有する電源側バスバーと、複数の端子部を有するアース側バスバーと、それら電源側バスバーとアース側バスバーの間を接続するコンデンサが、コネクタハウジングに収容保持されてなるコンデンサ内蔵ジョイントコネクタに関するものである。
【背景技術】
【０００２】
従来から、自動車等に搭載された電気・電子機器から導出される複数の電線を一括接続するジョイントコネクタの一種として、複数の端子部を有する電源側バスバーと複数の端子部を有するアース側バスバーの間にコンデンサが接続されたコンデンサ内蔵ジョイントコネクタが知られている。例えば、特開２００７−２８７６４４号公報（特許文献１）に記載のものがそれである。このようなコンデンサ内蔵ジョイントコネクタによれば、電源側バスバーの端子部に接続された各種機器のプラス側や電源のプラス側から導出される複数の電線が、電源側バスバーを介して一括接続される一方、アース側バスバーの端子部に接続された各種機器のマイナス側や電源のマイナス側から導出される複数の電線が、アース側バスバーに一括接続される。そして、アース接続されたコンデンサが電源側に接続されることにより、電源側に発生するノイズを除去することができるようになっている。
【０００３】
ところで、このような従来構造のコンデンサ内蔵ジョイントコネクタでは、特許文献１の図５や図６に示されるように、電源側バスバーおよびアース側バスバーをコネクタハウジングに収容配置した状態で、コンデンサの一対のリード部を、各バスバーに形成されたリード接続部に設けられた挿通孔に挿通してそれぞれ半田付けすることにより、コンデンサと電源側バスバーおよびアース側バスバーの接続が図られている。
【０００４】
ところが、コンデンサから突出する一対のリード部を各バスバーの挿通孔に合う位置で屈曲させて挿通する作業は非常に煩雑であり、作業効率の悪化を招いていた。しかも、各リード部を各リード接続部に半田付けする際には、治具等でコンデンサとコネクタハウジングを位置決め保持する必要があり、作業に必要な部品点数や工数の増加を招き、作業性をさらに悪化させていた。
【先行技術文献】
【特許文献】
【０００５】
【特許文献１】特開２００７−２８７６４４号公報
【発明の概要】
【発明が解決しようとする課題】
【０００６】
本発明は、上述の事情を背景に為されたものであって、その解決課題は、電源側バスバーおよびアース側バスバーへのコンデンサのリード部の接続作業を簡便且つ容易に行うことができると共に、それらの接続安定性を有利に維持することができる、新規な構造のコンデンサ内蔵ジョイントコネクタを提供することにある。
【課題を解決するための手段】
【０００７】
本発明の第一の態様は、複数の端子部を有する電源側バスバーと、複数の端子部を有するアース側バスバーと、前記電源側バスバーと前記アース側バスバーの間を接続するコンデンサが、コネクタハウジングに収容保持されてなるコンデンサ内蔵ジョイントコネクタにおいて、前記コネクタハウジングが、該コネクタハウジングの一端側に設けられて前記電源側バスバーと前記アース側バスバーを保持するバスバー保持部と、前記コネクタハウジングの他端側に設けられて前記バスバー保持部から離隔した位置に前記コンデンサを保持するコンデンサ保持部と、前記バスバー保持部と前記コンデンサ保持部との間に設けられた接続領域とを含んで構成されている一方、前記コンデンサが、コンデンサ本体と、該コンデンサ本体の底面から同じ向きに突出する一対のリード部を備えていると共に、前記電源側バスバーと前記アース側バスバーが、前記コンデンサの前記一対のリード部が接続されるリード接続部をそれぞれ備えており、前記コネクタハウジングの前記接続領域には、前記バスバー保持部から前記コンデンサ保持部に向かって突出する前記電源側バスバーおよび前記アース側バスバーの前記リード接続部と、前記コンデンサ保持部から前記バスバー保持部に向かって突出する前記コンデンサの前記一対のリード部が、相互に重ね合わされて電気的に接続されている一方、前記コンデンサ保持部が、前記コネクタハウジングの他端側から円弧断面形状で突出して前記コンデンサ本体の外周面を保持する樋状部と、該樋状部の基端部に設けられて前記コンデンサ本体の前記底面と対向する底面保持板部と、前記樋状部の開口部を覆蓋する蓋部材を含んで構成されていると共に、前記底面保持板部の上端面に、前記一対のリード部を保持する一対のリード収容溝が開口形成されていると共に、各該リード収容溝が前記底面保持板部の前記上端面に向かって次第に広がるテーパ状側面を有している、ことを特徴とする。
【０００８】
本発明に従う構造とされたコンデンサ内蔵ジョイントコネクタによれば、コネクタハウジングの一端側に設けられたバスバー保持部と、他端側に設けられたコンデンサ保持部の間に接続領域が設けられており、当該接続領域内において、コンデンサのリード部と電源側バスバーおよびアース側バスバーのリード接続部とが相互に重ね合わされて電気的に接続される構造とされている。従って、コネクタハウジングのバスバー保持部とコンデンサ保持部の間の中間部分に設けられた接続領域を利用することにより、当該接続領域内でリード部とリード接続部を容易且つ安定して電気的に接続させることができる。特に、コネクタハウジングの両端側で接続対象である電源側バスバー／アース側バスバーとコンデンサが保持されていることから、接続対象の位置決めをコネクタハウジングへの装着と同時に容易に達成できる。これにより、従来構造に比して接続工程に必要とされる治具や位置合わせの作業を有利に削減して、接続作業を簡便且つ容易に行うことができる。
【０００９】
また、接続領域がバスバー保持部とコンデンサ保持部の間に設けられていることから、各バスバーから突出するリード接続部や、コンデンサ本体の底面から突出する一対のリード部を屈曲等することなく、接続領域内に突出させるのみで、リード接続部とリード部を重ね合わせて電気的に接続させることができる。それ故、従来構造の如きコンデンサの一対のリード部をリード接続部の位置に合わせて屈曲させる必要がなく、接続作業の一層の効率化を図ることができる。
【００１０】
加えて、コンデンサ保持部には、リード収容溝が設けられていることから、コンデンサのリード部をリード収容溝に嵌め入れるだけで、コンデンサ保持部に保持されたコンデンサを確実に位置決め保持することができ、リード部とリード接続部の接続作業時やその後の使用時におけるコンデンサの回転による接続不良等を未然に防止することができる。なお、コンデンサ保持部にこのようなリード収容部分を設けた際には、コンデンサ本体の底面から突出するリード部をリード収容部分に装着する作業が困難となり、却って作業性を悪化させることが予測できるが、本発明ではかかる作業も容易に行い得るようになっている。
【００１１】
すなわち、コンデンサ保持部が、コンデンサ本体の外周面を保持する樋状部およびコンデンサ本体の底面と対向する底面保持板部と、さらに樋状部の開口部を覆蓋する蓋部材とに分断されて構成されている。また、底面保持板部の上端面に、一対のリード収容溝が開口形成されている。従って、樋状部の上方からコンデンサを載置するだけで、樋状部にコンデンサ本体を位置決め保持する一方、一対のリード部を一対のリード収容溝で位置決め保持することができる。しかも、各リード収容溝が底面保持板部の上端面に向かって次第に広がるテーパ状側面を有していることから、各リード部が各リード収容溝から位置ずれしていても、確実にテーパ状面に沿って収容溝に位置決め保持される。それ故、コンデンサの保持安定性と装着容易性の両立を巧く図ることができるのである。
【００１２】
なお、コンデンサのリード部とバスバーのリード接続部の接続方法も任意であり、接続領域で実施し得るものであれば、抵抗溶接の他、半田付け等の方法により電気的に接続されるようにしてもよい。
【００１３】
本発明の第二の態様は、前記第一の態様に記載のものにおいて、前記底面保持板部に設けられた前記一対のリード収容溝が、Ｗ字状断面で板厚方向に形成されているものである。
【００１４】
本態様によれば、リード部をリード収容溝に案内して正規位置に保持する収容溝を容易に形成することができる。また、テーパ状側面を含むリード収容溝の内面に段差等が形成されないことから、一層スムーズなリード部の案内が実現され得る。
【００１５】
本発明の第三の態様は、前記第一又は第二の態様に記載のものにおいて、前記樋状部の先端部に、前記コンデンサ本体の天面と対向する天面保持板部が設けられているものである。
【００１６】
本態様によれば、コンデンサ保持部の底面保持板部と天面保持板部の間でコンデンサ本体を確実に保持して、軸方向の位置ずれを防止することができる。これにより、リード部とリード接続部の接続工程において、特別な治具等を必要とすることなく、コンデンサの軸方向位置を確実に保持して、コンデンサ保持部からのコンデンサの抜け出しを有利に防止することができる。
【００１７】
本発明の第四の態様は、前記第三の態様に記載のものにおいて、前記樋状部が略半円弧形断面形状で形成されていると共に、前記天面保持板部と前記樋状部の少なくとも前記先端部側において、それぞれの上端面から上方に立ち上がる案内壁が一体的に形成されているものである。
【００１８】
本態様においては、樋状部が半円弧形断面形状とされていることから、コンデンサを挿し入れるに十分な開口部の面積を確保しつつ、コンデンサ本体の外周面を安定して保持することができる。しかも、天面保持板部と樋状部の少なくとも先端部側において、上方に立ち上がる案内壁が一体的に形成されていることから、案内壁にコンデンサの天面側を有利に位置合わせして、確実且つ容易にコンデンサをコンデンサ保持部に収容することができる。
【００１９】
本発明の第五の態様は、前記第一乃至第四の何れかの態様に記載のものにおいて、前記蓋部材の基端部に、前記底面保持板部に向かって突出して、該底面保持板部との対向面間で前記一対のリードを保持する垂壁部が一体形成されているものである。
【００２０】
本態様によれば、リード収容溝と蓋部材の垂壁部との間でリード部を保持することができることから、リード部のリード収容溝からの浮き上がりを防止して、コンデンサ保持部によるコンデンサの位置決め安定性を一層有利に実現できる。
【発明の効果】
【００２１】
本発明においては、コネクタハウジングの一端側に設けられたバスバー保持部と、他端側に設けられたコンデンサ保持部の間に接続領域が設けられており、当該接続領域内において、コンデンサのリード部と電源側バスバーおよびアース側バスバーのリード接続部を電気的に接続するようにした。これにより、接続対象を少ない部品点数で確実に位置決め保持して接続工程を容易且つ簡便に行うことができる。しかも、コンデンサ保持部の底面保持板部の上端面に、リード収容溝が開口形成されていると共に、リード収容溝が底面保持板部の上端面に向かって次第に広がるテーパ状側面を有している。これにより、コンデンサのリード部をリード収容溝に嵌め入れるだけで、コンデンサを確実に位置決め保持することができ、コンデンサの位置決め性を簡易な作業により有利に実現することができる。
【図面の簡単な説明】
【００２２】
【図１】本発明の一実施形態としてのコンデンサ内蔵ジョイントコネクタの分解斜視図。
【図２】図１に示したコネクタハウジングに対して、電源側バスバー，アース側バスバーおよびコンデンサを組み付けたコネクタ本体と、コネクタケースを示す分解斜視図。
【図３】図１のＩＩＩ−ＩＩＩ断面要部拡大図。
【図４】図２のＩＶ−ＩＶ断面要部拡大図。
【図５】コンデンサのリード部がコンデンサ保持部内で回転方向の位置ずれを起こした場合について説明する図４に相当する断面図。
【発明を実施するための形態】
【００２３】
以下、本発明の実施形態について、図面を参照しつつ説明する。
【００２４】
先ず、図１および図２に、本発明の一実施形態としてのコンデンサ内蔵ジョイントコネクタ１０の分解斜視図を示す。コンデンサ内蔵ジョイントコネクタ１０は、複数の端子部１２を有する電源側バスバー１４と、複数の端子部１６を有するアース側バスバー１８と、電源側バスバー１４とアース側バスバー１８の間を接続するコンデンサ２０が、コネクタハウジング２２に収容保持されてなるコネクタ本体２４を含んで構成されている。そして、コネクタ本体２４がコネクタケース２６に収容保持されることにより、本実施形態のコンデンサ内蔵ジョイントコネクタ１０が構成されるようになっている。
【００２５】
より詳しくは、電源側バスバー１４およびアース側バスバー１８は、銅や銅合金等の導通性金属平板を所定の形状にプレス打ち抜き加工等して形成されている。図１に示すように、電源側バスバー１４は、相互に離隔して整列配置された複数の端子部１２が、それらの基端部側でビーム状の連結部３０を介して相互に連結されている。連結部３０を挟んで端子部１２と反対側には、連結部３０の両端側から突出する一対の係合突部３２ａ，３２ｂが突設されている。また、連結部３０の中央部分のやや係合突部３２ａ寄りには、帯状の電源側リード接続部３４が係合突部３２ａ，３２よりも大きな突出長さで突設されている。同様に、アース側バスバー１８は、相互に離隔して整列配置された複数の端子部１６が、それらの基端部側でビーム状の連結部３６を介して相互に連結されている。連結部３６を挟んで端子部１６と反対側には、連結部３６の両端側から突出する一対の係合突部３８ａ，３８ｂが突設されている。また、連結部３６の中央部分の係合突部３８ｂ寄りには、帯状のアース側リード接続部４０が係合突部３８ａ，３８よりも大きな突出長さで突設されている。なお、アース側リード接続部４０は、突出先端部側が側面視でクランク状に屈曲されて立ち上げられており、その突出先端面４０ａが、端子部１６よりも上方に位置されるようになっている。
【００２６】
電源側バスバー１４とアース側バスバー１８の間を接続するコンデンサ２０は、円筒形状のコンデンサ本体４２と、コンデンサ本体４２の底面４４から同じ向きである軸方向外方（図１中、左側）に突出する一対のリード部４６ａ，４６ｂを備えている。このような構造を備えたコンデンサ２０として、従来から公知の電解コンデンサやフィルムコンデンサ等の各種コンデンサが好適に採用可能である。
【００２７】
これらの電源側バスバー１４、アース側バスバー１８およびコンデンサ２０を収容保持するコネクタハウジング２２は、非導通性の合成樹脂材料を射出成形等により一体形成した構造とされている。図１に示すように、コネクタハウジング２２は、その中央部分に矩形枠体部４８を備えており、矩形枠体部４８の内部に形成される中空領域により、矩形枠体部４８によって画成される接続領域５０が構成されるようになっている。コネクタハウジング２２の長手方向の一端側となる、矩形枠体部４８の一対の対向壁部の一方（図１中、左側）には、バスバー保持部５２が一体形成されている。また、コネクタハウジング２２の長手方向の他端側となる、矩形枠体部４８の一対の対向壁部の他方（図１中、右側）には、バスバー保持部５２から長手方向に離隔した位置に、コンデンサ２０を収容保持するコンデンサ保持部５４が設けられている。
【００２８】
バスバー保持部５２には、コンデンサ保持部５４との対向方向で内部を貫通する電源側バスバー収容孔５６とアース側バスバー収容孔５８が形成されている。電源側バスバー収容孔５６とアース側バスバー収容孔５８は、矩形枠体部４８の軸方向の上下に並ぶように配列されている。そして、バスバー保持部５２の電源側バスバー収容孔５６に対して、外方開口側（図１中、左側）から電源側バスバー１４が挿し入れられると、電源側バスバー収容孔５６の内部に形成された図示しない係合凹部に、電源側バスバー１４に設けられた一対の係合突部３２ａ，３２ｂが嵌り込んで保持される。これにより、電源側バスバー１４が、バスバー保持部５２の電源側バスバー収容孔５６の所定位置に位置決めされて保持される。かかる位置決め状態下において、電源側バスバー１４に設けられた電源側リード接続部３４が、電源側バスバー収容孔５６を貫通して、バスバー保持部５２からコンデンサ保持部５４に向かって突出するようにして、接続領域５０内に配設されている。
【００２９】
同様に、バスバー保持部５２のアース側バスバー収容孔５８に対して、外方開口側（図１中、左側）からアース側バスバー１８が挿し入れられる。なお、アース側バスバー１８は、前述のとおり先端側がクランク状に折り曲げられたアース側リード接続部４０を有していることから、アース側リード接続部４０を全長に亘ってアース側バスバー収容孔５８に挿通することは不可能である。そこで、アース側バスバー収容孔５８の底面には、切欠部６０が形成されている。そして、アース側バスバー１８をアース側バスバー収容孔５８に挿し入れる際には、先ず、アース側リード接続部４０の基端部側を下方から切欠部６０に嵌め入れるようにしてアース側バスバー収容孔５８に挿し入れる。その後、アース側バスバー１８の一対の係合突部３８ａ，３８ｂを、アース側バスバー収容孔５８の外方開口側（図１中、左側）から奥方に挿し入れると、アース側バスバー収容孔５８の内部に形成された図示しない係合凹部に、アース側バスバー１８の一対の係合突部３８ａ，３８ｂが嵌り込んで保持される。これにより、アース側バスバー１８が、バスバー保持部５２のアース側バスバー収容孔５８の所定位置に位置決めされて保持されるのである。
【００３０】
ここで、バスバー保持部５２に収容保持された電源側バスバー１４の電源側リード接続部３４の上面と、アース側バスバー１８のアース側リード接続部４０の突出先端面４０ａの上面が、矩形枠体部４８の軸方向において略同じ位置に保持されるようになっている。
【００３１】
一方、コネクタハウジング２２の他端側に設けられたコンデンサ保持部５４は、図１に示すように、コネクタハウジング２２の他端側から円弧断面形状で突出してコンデンサ本体４２の外周面を保持する樋状部６２と、樋状部６２の基端部に設けられてコンデンサ本体４２の底面４４と対向する底面保持板部６４と、樋状部６２の開口部６６を覆蓋する蓋部材６８を含んで構成されている。
【００３２】
樋状部６２は、コネクタハウジング２２の長手方向の他端側となる、矩形枠体部４８の一対の対向壁部の他方（図１中、右側）に対して、上方に開口する向きで一体形成されている。すなわち、樋状部６２は、軸方向の一方となる矩形枠体部４８側の端部が、矩形枠体部４８の壁部に一体的に連接されている。樋状部６２が連接された矩形枠体部４８の壁部には、一対のリード部４６ａ，４６ｂを保持するリード支持台７０が突設されており、リード支持台７０の上面には、一対のリード保持溝７２ａ，７２ｂが所定長さに亘って略半円形断面形状で延出形成されている。
【００３３】
また、底面保持板部６４は略半円弧形断面形状で形成されていると共に、底面保持板部６４の上端面には、一対のリード部４６ａ，４６ｂを保持する一対のリード収容溝７４ａ，７４ｂが開口形成されている。各リード収容溝７４ａ，７４ｂは、底面保持板部６４の上端面に向かって次第に広がるテーパ状側面を有しており、本実施形態では、図３に示すように、Ｗ字状断面で板厚方向に形成されており、形成が容易に行えるようになっている。
【００３４】
一方、樋状部６２の先端部（図１中、右側）には、コンデンサ本体４２の天面７６と対向する天面保持板部７８が設けられている。樋状部６２は略半円弧形断面形状で形成されていると共に、天面保持板部７８は略半円形断面形状で形成されている。天面保持板部７８と樋状部６２の先端部側において、それぞれの上端面からコの字形断面形状で上方に立ち上がる案内壁８０が一体的に形成されている。
【００３５】
さらに、蓋部材６８は矩形形状で形成されていると共に、蓋部材６８の基端部には、底面保持板部６４に向かって突出して、底面保持板部６４との対向面間で一対のリード部４６ａ，４６ｂを保持する矩形状の垂壁部８２が一体形成されている。
【００３６】
次に、図１〜４を用いて、電源側バスバー１４とアース側バスバー１８がバスバー保持部５２に収容保持されたコネクタハウジング２２に対して、コンデンサ２０を位置決め・装着する作業について説明する。先ず、コンデンサ本体４２の後端部（図１中、左側）を把持し、底面保持板部６４の上端面に設けられたリード収容溝７４ａ，７４ｂにコンデンサ２０のリード部４６ａ，４６ｂが載置されるように、コンデンサ２０をコンデンサ保持部５４の樋状部６２に装着する。ここで、コンデンサ本体４２の底面４４が底面保持板部６４により、またコンデンサ本体４２の天面７６が天面保持板部７８と案内壁８０により、さらにコンデンサ本体４２の外周面が樋状部６２および樋状部６２の上端面から上方に立ち上がる案内壁８０により支持されている。それ故、樋状部６２の上方からコンデンサ２０を載置するだけで、樋状部６２にコンデンサ本体４２を位置決め保持できるのである。加えて、コンデンサ２０のリード部４６ａ，４６ｂもリード収容溝７４ａ，７４ｂに位置決め保持される。この時、底面保持板部６４の上端面に設けられたリード収容溝７４ａ，７４ｂは周囲から容易に目視やアクセスが可能であることや、リード収容溝７４ａ，７４ｂにコンデンサ２０のリード部４６ａ，４６ｂを載置するだけであることから、上記作業は非常に容易に行うことができる。また樋状部６２の後端部には案内壁８０が設けられていないことから、コンデンサ本体４２の後端部（図１中、左側）を把持したままで、確実にコンデンサ２０をコンデンサ保持部５４の樋状部６２に装着することができるのである。
【００３７】
続いて、蓋部材６８の後端部（図１中、左側）を、垂壁部８２が底面保持板部６４に対向するような状態で把持し、上記コンデンサ２０が収容保持された樋状部６２に、上方より蓋部材６８を装着する。平面視において、蓋部材６８の大きさは、樋状部６２の開口部６６の大きさよりも軸方向に底面保持板部６４の板厚分だけ大きく形成されている。これにより、垂壁部８２の先端部を底面保持板部６４の上端部に載置するだけで、蓋部材６８の先端部（図１中、右側）が案内壁８０の開口部８４内においてコンデンサ本体４２に当接状態で収容保持される。この場合も上記の場合と同様に、底面保持板部６４に設けられたリード収容溝７４ａ，７４ｂは周囲から容易に目視やアクセスが可能であることや、蓋部材６８の垂壁部８２の先端部を底面保持板部６４の上端部に載置するだけであることから、上記作業は非常に容易に行うことができる。また樋状部６２の後端部には案内壁８０が設けられていないことから、蓋部材６８の後端部（図１中、左側）を把持したままで、確実に蓋部材６８の垂壁部８２の先端部を底面保持板部６４の上端部に載置することができ、樋状部６２の開口部８４を蓋部材６８で覆蓋することができる。以上の結果、樋状部６２と蓋部材６８が離脱可能に軸直方向で組み合わされて、内部にコンデンサ本体４２を収容した状態で、略円筒形状のコンデンサ保持部５４が構成されているのである。
【００３８】
次に、図５を用いて、コンデンサ２０のリード部４６ａ，４６ｂをリード収容溝７４ａ，７４ｂに載置する際に、回転方向の位置ずれを起こした場合について説明する。ここで、コンデサ保持部５４に収容されたコンデンサ２０は、その中心軸がコンデンサ保持部５４の中心軸と同軸となるように位置決めされている。そして、図５に示すように、例えば一方のリード部４６ｂだけがリード収容溝７４ｂの側面に当接した状態となっている場合には、蓋部材６８の垂壁部８２の先端部を底面保持板部６４の上端面に載置する過程（覆蓋工程）で、もう一方のリード部４６ａが垂壁部８２の先端部により押し下げられると、コンデンサ２０が回転して、コンデンサ２０のリード部４６ａ，４６ｂが所望の位置であるリード収容溝７４ａ，７４ｂに載置される。この際、リード収容溝７４ｂの側面がテーパ状とされていることから、一方のリード部４６ｂも引っ掛かりの発生なく、スムーズにリード収容溝７４ｂに案内されるのである。すなわち、コンデンサ２０挿入時に仮に回転方向の位置ずれが発生したとしても、上記作用によりコンデンサ２０の回転方向の位置ずれが解消されるのである。この結果、底面保持板部６４の上端面にリード収容溝７４ａ，７４ｂが設けられたコンデンサ保持部５４へのコンデンサ２０の装着作業を容易になしつつ、底面保持板部６４と垂壁部８２によりコンデンサ２０の安定した保持を実現できるのである。また、リード部４６ａ、４６ｂと電源側およびアース側のリード接続部３４，４０の接続工程において、特別な治具等を必要とすることなく、コンデンサ２０の軸方向位置を確実に保持して、コンデンサ保持部５４からのコンデンサ２０の抜け出しを有利に防止することができる。
【００３９】
このように、コンデンサ２０が収容保持された樋状部６２に蓋部材６８を装着することにより、図２に示すように、一対のリード収容溝７４ａ，７４ｂに位置決め保持された一対のリード部４６ａ，４６ｂが、リード支持台７０に形成された一対のリード保持溝７２ａ，７２ｂに嵌め入れられて保持されるようになっている。なお、リード収容溝７４ａ，７４ｂやリード保持溝７２ａ，７２ｂの底面は、矩形枠体部４８の軸方向において、電源側リード接続部３４の上面やアース側リード接続部４０の突出先端面４０ａの上面よりも僅かに上方に位置されている。
【００４０】
また、コネクタハウジング２２に対して、電源側バスバー１４とアース側バスバー１８がバスバー保持部５２に収容保持される一方、コンデンサ２０がコンデンサ保持部５４に収容保持されることにより、図２に示すように、矩形枠体部４８によって画成された接続領域５０内には、バスバー保持部５２からコンデンサ保持部５４に向かって突出する電源側バスバー１４の電源側リード接続部３４およびアース側バスバー１８のアース側リード接続部４０と、コンデンサ保持部５４からバスバー保持部５２に向かって突出するコンデンサ２０の一対のリード部４６ａ，４６ｂが、矩形枠体部４８の軸方向で相互に重ね合わされた状態で位置決め保持されている。従って、図２に示す状態において、任意の方法により、一対のリード部４６ａ，４６ｂを、電源側リード接続部３４とアース側リード接続部４０にそれぞれ電気的に接続させることができる。本実施形態においては、矩形枠体部４８の軸方向上下側から、図示しない抵抗溶接機の一対の電極チップを挿入して、一対のリード部４６ａ，４６ｂと、電源側リード接続部３４およびアース側リード接続部４０の重ね合せ部分を、電極チップ間で挟み込み、抵抗溶接によりそれらが電気的に接続されている。
【００４１】
一対のリード部４６ａ，４６ｂと、電源側リード接続部３４およびアース側リード接続部４０が相互に重ね合わされて抵抗溶接によって電気的に接続された、図２に示すコネクタ本体２４は、最終的に、コネクタケース２６に収容保持される（図２参照）。コネクタケース２６は、非導電性の合成樹脂材により形成されており、一端側にコンデンサ保持部５４を収容する有底円筒部８６を有する一方、他端側がバスバー保持部５２を収容する矩形筒体部８８を有している。そして、矩形筒体部８８の開口部から、コネクタ本体２４がコンデンサ保持部５４を先頭に挿し入れられることにより、コネクタケース２６内に、コネクタ本体２４が位置決め保持されて収容されるようになっている。これにより、本実施形態に従うコンデンサ内蔵ジョイントコネクタ１０が提供される。このようなコンデンサ内蔵ジョイントコネクタ１０は、図示しない相手側コネクタに接続されて使用される。これにより、電源側バスバー１４の端子部１２に接続された各種機器のプラス側や電源のプラス側から導出される複数の電線が、電源側バスバー１４を介して一括接続される一方、アース側バスバー１８の端子部１６に接続された各種機器のマイナス側や電源のマイナス側から導出される複数の電線が、アース側バスバー１８に一括接続され、コンデンサ２０を介して電源側に発生するノイズを除去することができるようになっている。
【００４２】
このような本実施形態のコンデンサ内蔵ジョイントコネクタ１０によれば、コネクタハウジング２２の両端側に設けられたバスバー保持部５２とコンデンサ保持部５４に対して、それぞれ電源側バスバー１４およびアース側バスバー１８とコンデンサ２０を装着するだけで、それらの間に設けられた接続領域５０において、電気的な接続対象である電源側リード接続部３４およびアース側リード接続部４０と、コンデンサ２０のリード部４６ａ，４６ｂを屈曲等する必要なく、重ね合わせ状態に位置決め保持することができる。それ故、接続対象の位置決めをコネクタハウジング２２への装着と同時に容易に達成できる。これにより、従来構造に比して接続工程に必要とされる治具や位置合わせの作業さらにはリード部４６ａ，４６ｂの屈曲作業等を削減して、接続作業の簡便性や容易性さらには効率性を飛躍的に向上させることができる。
【００４３】
しかも、コンデンサ保持部５４には、リード収容溝７４ａ，７４ｂが設けられていることから、コンデンサ２０のリード部４６ａ，４６ｂをリード収容溝７４ａ，７４ｂに嵌め込むだけで、コンデンサ保持部５４に保持されたコンデンサ２０の中心軸周りの回転を防止することができる。これにより、接続作業時やその後の使用時におけるコンデンサ２０の回転によるリード部４６ａ，４６ｂと電源側およびアース側のリード接続部３４，４０の接続不良等を未然に防止することができる。
【００４４】
加えて、コネクタハウジング２２の矩形枠体部４８により接続領域５０が画成されていることから、コネクタハウジング２２の剛性を確保しつつ、中間部分に中空の接続領域５０を形成することができる。従って、接続領域５０の上下側から、図示しない抵抗溶接機の一対の電極チップを挿入して、一対のリード部４６ａ，４６ｂと、電源側リード接続部３４およびアース側リード接続部４０の重ね合せ部分を、電極チップ間で挟み込み、抵抗溶接により両者を接続することが可能となるのである。従って、両者を半田付け等で接続する場合に比して、作業効率を飛躍的向上できる。
【００４５】
また、矩形枠体部４８の一対の対向壁部にバスバー保持部５２と樋状部６２が一体形成されていることから、それらの剛性やコネクタハウジング２２全体の剛性が確保されて、接続対象である電源側／アース側リード接続部３４，４０とコンデンサ２０のリード部４６ａ，４６ｂの位置決めを一層精度よく行うことが可能となる。
【００４６】
以上、本発明の実施形態について詳述したが、本発明はその具体的な記載によって限定されない。例えば、リード収容溝７４ａ，７４ｂの断面形状は、底面保持板部６４の上端面に向かって次第に広がるテーパ形状であれば、例示のＷ字状に限定されない。例えば、各リード収容溝７４ａ，７４ｂを構成する軸方向で対向する一対のの壁部のうち、一方の壁部のみ傾斜して広がり、他方の壁部は垂直に立ち上がるような形状でもよい。
【００４７】
また、接続領域５０における電源側／アース側リード接続部３４，４０とコンデンサ２０のリード部４６ａ，４６ｂの接続方向は、上記実施形態の抵抗溶接に限定されず、半田付けやその他の任意の接続方向が採用可能である。
【符号の説明】
【００４８】
１０：コンデンサ内蔵ジョイントコネクタ、１２：端子部、１４：電源側バスバー、１６：端子部、１８：アース側バスバー、２０：コンデンサ、２２：コネクタハウジング、３４：電源側リード接続部（リード接続部）、４０：アース側リード接続部（リード接続部）、４２：コンデンサ本体、４４：底面、４６ａ，ｂ：リード部、５０  接続領域、５２：バスバー保持部、５４：コンデンサ保持部、６２：樋状部、６４：底面保持板部、６６：開口部、６８：蓋部材、７４ａ，ｂ：リード収容溝、７６：天面、７８：天面保持板部、８０：案内壁、８２：垂壁部
【図１】
2014102937.tif 000003
【図２】
2014102937.tif 000004
【図３】
2014102937.tif 000005
【図４】
2014102937.tif 000006
【図５】
2014102937.tif 000007